(57)【要約】  【課題】封筒等の郵送用、ダイレクトメール等の輸送用、或いは展示会等において配布されたカタログ等が収納されて、そのまま持ち帰ることができる手提げ用袋等として使用され、使用後はファイル等の綴込媒体に綴じ込んで整理用等の袋として再利用することのできるような樹脂製の包装用袋を提供することを課題とする。  【解決手段】袋本体内に被収納物を収納可能な収納部が形成され、該袋本体を別のファイル等の綴込媒体に綴じ込むための綴込用孔が前記袋本体に形成され、且つ該袋本体を前記綴込媒体に綴じ込む際に、前記綴込用孔及び前記収納部を前記袋本体に残存させ、該残存する綴込用孔及び収納部以外の残余部を袋本体から分断するための分断手段が、前記袋本体に設けられていることを特徴とする。【選択図】図１
2009143593.tif 000002
【特許請求の範囲】
【請求項１】
袋本体（１）内に被収納物を収納可能な収納部（３）が形成され、該袋本体（１）を別のファイル等の綴込媒体に綴じ込むための綴込用孔（５）が前記袋本体（１）に形成され、且つ該袋本体（１）を前記綴込媒体に綴じ込む際に、前記綴込用孔（５）及び前記収納部（３）を前記袋本体（１）に残存させ、該残存する綴込用孔（５）及び収納部（３）以外の残余部を袋本体（１）から分断するための分断手段が、前記袋本体（１）に設けられていることを特徴とする包装用袋。
【請求項２】
綴込用孔（５）が袋本体（１）の一側縁側に形成されている請求項１記載の包装用袋。
【請求項３】
分断手段がミシン目（８）である請求項１又は２記載の包装用袋。
【請求項４】
分断手段がカットテープ（１１）である請求項１又は２記載の包装用袋。
【発明の詳細な説明】
【技術分野】
【０００１】
本発明は包装用袋、さらに詳しくは、合成樹脂フィルム等からなる包装用袋であって、封筒等の郵送用、ダイレクトメール等の輸送用、或いは展示会等において配布されたカタログ等が収納されて、そのまま持ち帰ることができる手提げ用袋等として使用され、使用後はファイル等の綴込媒体に綴じ込んで整理用等の袋として再利用することのできるような包装用袋に関する。    
【背景技術】
【０００２】
合成樹脂等の樹脂フィルムからなる包装用袋は、従来から種々の用途に用いられており、たとえば紙封筒に代えて郵送用として樹脂製の封筒が使用されつつある。このような樹脂製の封筒は、フィルムに着色や印刷を施すことができ、またコストも紙封筒に比べて安価になることから、需要が増大しつつある。このような樹脂製の封筒に関するものとして、たとえば下記特許文献１や特許文献２のような特許出願がなされている。また、フィルムが透明であることにより封入物を透視させることができる等の紙製の袋にはない特性があるので、近年では特にダイレクトメール用等の輸送用袋も普及しつつある。
【０００３】
さらに、展示会等においては複数のカタログ等が配布され、それらを持参して持ち帰る便宜のために、樹脂製フィルムからなる袋が利用されることもある。このような袋も
製作コストが安価であるので、展示会等の主催者が、カタログ等とともに持ち帰り用として無償で提供したとしても、それに要するコストの面で特に問題となるようなこともなく、むしろ無償でカタログ等を提供した後の販売促進効果によってもたらされる利益の方が大きいものと認識されている。従って、このような樹脂製フィルムからなる包装用袋の利用頻度も大きいものである。
【０００４】
このような持ち帰り用の袋として手提げ袋が使用されており、そのような手提げ袋に関するものとして、たとえば下記特許文献３乃至特許文献５のような特許出願がなされている。
【０００５】
【特許文献１】特開２００３−４０２７９号公報
【特許文献２】特開２０００−３０２１３７号公報
【特許文献３】特開２００３−５４５８４号公報
【特許文献４】特開平１１−３１０２５２号公報
【特許文献５】特開平９−２５５００２号公報
【０００６】
しかしながら、上記のような樹脂製の封筒やダイレクトメール用等の樹脂製輸送用袋は、郵送用若しくは輸送用として使用された後は、再利用されることはなく、そのまま廃棄されていた。また手提げ袋は、繰り返して使用できるような形態に形成されているものではあるが、上記のような展示会等でカタログ等とともに配布されるような持ち帰り用の袋は、本来使い捨てを前提として、特に手提げ部分の強度等を考慮することなく、全体を樹脂フィルムで構成する等、コストが安価になるよう製作されているものであるため、実際には再利用されていない。
【０００７】
尚、ポリエチレンテレフタレート等の一部の合成樹脂については、溶融して再生し、別種の製品に成形して再利用するような技術も開発されている。しかし、このような再生する技術を実施すること自体にコストがかかり、汎用性の合成樹脂であるポリエチレンやポリプロピレンについては、溶融、再生等の技術は実施されておらず、燃焼等によって廃棄処理されていたのが現状である。
【０００８】
このように合成樹脂製品を燃焼して廃棄処理することは、紙の場合と相違し、燃焼による排気ガスが環境にもたらす影響が懸念される。
【発明の開示】
【発明が解決しようとする課題】
【０００９】
本発明は、このような問題点を解決するためになされたもので、封筒等の郵送用、ダイレクトメール等の輸送用、或いは展示会等において配布されたカタログ等が収納されて、そのまま持ち帰ることができる手提げ用袋等として使用され、使用後はファイル等の綴込媒体に綴じ込んで整理用等の袋として再利用することのできるような樹脂製の包装用袋を提供することを課題とする。
【課題を解決するための手段】
【００１０】
本発明は、このような課題を解決するためになされたもので、袋本体内に被収納物を収納可能な収納部が形成され、該袋本体を別のファイル等の綴込媒体に綴じ込むための綴込用孔が前記袋本体に形成され、且つ該袋本体を前記綴込媒体に綴じ込む際に、前記綴込用孔及び前記収納部を前記袋本体に残存させ、該残存する綴込用孔及び収納部以外の残余部を袋本体から分断するための分断手段が、前記袋本体に設けられていることを特徴とする包装用袋を提供する。
【００１１】
綴込用孔は、主として袋本体の一側縁側に形成される。また分断手段としては、たとえばミシン目やカットテープのようなものが採用される。
【発明の効果】
【００１２】
本発明は、上述のように、袋本体内に被収納物を収納可能な収納部が形成され、該袋本体を別のファイル等の綴込媒体に綴じ込むための綴込用孔が前記袋本体に形成され、且つ該袋本体を前記綴込媒体に綴じ込む際に、前記綴込用孔及び前記収納部を前記袋本体に残存させ、該残存する綴込用孔及び収納部以外の残余部を袋本体から分断するための分断手段が、前記袋本体に設けられているものであるため、このような包装用袋を使用する場合には、収納部に被収納物を収納して、たとえば郵便物を郵送する封筒として、又はダイレクトメール等用の輸送用袋として、或いは展示会等においては複数のカタログ等とともに持ち帰るための袋として使用することができ、そのような一次形態の袋として使用した後、上記分断手段を介して、綴込用孔及び収納部以外の残余部を袋本体から分断することによって、綴込用孔及び収納部以外の不要な部分が除去されることとなり、ファイル等の綴込媒体に綴じ込んで整理用等、二次形態の袋として有効利用を図ることができる。
【００１３】
この結果、郵送用、輸送用、或いは持ち帰り用等として使用された樹脂製等の包装用袋を、その使用後において、上記のような分断手段により、綴込用孔及び収納部以外の部分を分断することによって、綴込用の整理袋等として再利用することができ、その結果、郵送用、輸送用、持ち帰り用等として使用された後に廃棄される可能性が少なくなり、ひいては環境保護に寄与することになるという効果がある。
【００１４】
また、分断手段によって分断、除去されるのは、綴込用孔及び収納部以外の包装用袋の一部のみであり、綴込用孔及び収納部は袋本体に残存するので、綴込用の整理袋等として再利用される場合に支障を生じるようなこともない。
【発明を実施するための最良の形態】
【００１５】
以下、本発明の実施形態について図面に従って説明する。
（実施形態１）
本実施形態の包装用袋は、図１及び図２に示すように、袋本体１の全体が透明な樹脂製フィルムからなり、該袋本体１の上部には開口部２が形成され、該開口部２より下側には、
被収納物を収納する収納部３が形成されている。そして、袋本体１を構成するフィルムからなる一片１ａ及び他片１ｂのうち、一片１ａが他片１ｂより前記開口部２の上部に延長されて封緘片４が形成されている。樹脂フィルムとしては、たとえばポリプロピレン、ポリエチレン等のような汎用性の合成樹脂製のフィルムを使用することができ、またポリ乳酸等のいわゆる生分解性フィルムのようなものを用いることもできる。
【００１６】
前記袋本体１の両側縁部と底縁部との三方側縁部にはシール部１２ａ、１２ｂ、１３が形成され、両側縁部のシール部のうちの一方側縁部のシール部１２ａは、他方側縁部のシール部１２ｂ及び底縁部のシール部１３よりも幅広に形成されている。そして、一方側縁部のシール部１２ａには、前記袋本体を別のファイル等の綴込媒体に綴じ込むための複数の綴込用孔５が穿設されている。また前記封緘片４の内面側には接着剤６を介して離型材７が設けられている。さらに、該封緘片４の内面側であって開口部２よりもわずか上側の位置には、ミシン目８が形成されている。
【００１７】
そして、このような構成からなる包装用袋を使用する場合には、封緘片４から離型材７を剥離するとともに、図３に示すように前記開口部２から袋本体１の収納部３内に被収納物９を収納した後、接着剤６を介して封緘片４を袋本体１の他片１ｂ側に接着する。このように被収納物９を収納した状態で、たとえばダイレクトメール等用の輸送用袋として送信する等のように使用することができる。
【００１８】
このような輸送用袋を受信した受信者は、封緘片４を袋本体１の他片１ｂ側から離脱させ、被収納物９を収納部３から取り出して、送信された被収納物９を用いることができる。このようにして、ダイレクトメール等用の輸送用袋としての使用目的が達成された後は、受信者側によってファイル等の綴込媒体に綴じ込んで整理、保管等する袋として使用することができる。
【００１９】
すなわち、図４に示すようにミシン目８の位置で封緘片４を袋本体１から分断し、輸送の際に収納されていた被収納物９とは別の、ファイル等の綴込媒体に綴じ込んで整理、保管等するための被収納物１０を収納する。この場合、輸送されてきた被収納物９をそのまま保存することも可能である。
【００２０】
さらに、ファイル等の綴込媒体に設けられた綴杆を、袋本体１の一側縁部に設けられた綴込用孔５に挿入することによって包装用袋がファイル等の綴込媒体に綴じ込まれることとなる。このようにして、被収納物１０が収納された包装用袋をファイル等の綴込媒体に綴じ込んで整理、保管用の袋として使用することができる。この場合、整理、保管等用の袋として利用価値の少ない封緘片４の部分は、袋本体１から分断されるので、整理、保管用の袋として好適に使用することができる。また分断されて除去される部分は、包装用袋の全体に対して封緘片４等のわずかな部分のみであるので、整理、保管用の袋として再利用する場合に支障を生じることもない。
【００２１】
このように、本実施形態の包装用袋は、ダイレクトメール等用の輸送用袋として、送信者側に使用される他、これを受信した受信者側においては、ファイル等の綴込媒体に綴じ込む整理、保管用の袋として再利用することができる。このため、受信者側において直ちに廃棄されるような可能性が少なくなり、ひいては環境保護にも寄与することとなる。
【００２２】
（実施形態２）
本実施形態では、封緘片４を袋本体１から分断する分断手段として図５及び図６に示すようなカットテープ１１を用いており、この点で、分断手段としてミシン目８を用いていた上記実施形態１の場合と相違する。すなわち本実施形態では、同図のように、封緘片４の内面側であって開口部２よりもわずか上側の位置に、カットテープ１１が設けられている。
【００２３】
袋本体１の上部に開口部２が形成されている点、開口部２より下側に収納部３が形成されている点、袋本体１を構成する一片１ａが他片１ｂより開口部２の上部に延長されて封緘片４が形成されている点、袋本体１の三方側縁部にシール部１２ａ、１２ｂ、１３が形成されているとともに両側縁部のうちの一方側縁部のシール部１２ａが他方側縁部のシール部１２ｂ及び底縁部のシール部１３よりも幅広に形成され、該シール部１２ａに複数の綴込用孔５が穿設されている点、封緘片４の内面側に接着剤６を介して離型材７が設けられている点は、上記実施形態１と共通する。使用時において、封緘片４から離型材７を剥離し、袋本体１の収納部３内に被収納物９を収納した後、接着剤６を介して封緘片４を袋本体１の他片１ｂ側に接着して、輸送用袋等として送信する等の点も上記実施形態１と共通する（図３参照）。
【００２４】
本実施形態の包装用袋は、分断手段としてミシン目８に代えてカットテープ１１が封緘片４の所定位置、すなわち開口部２よりもわずか上側の位置に設けられているため、そのカットテープ１１を捲り取ることによって、封緘片４を袋本体１から分断させることができる。
【００２５】
従って、本実施形態においても、送信者が輸送用袋として使用した後、輸送用袋を受信した受信者は、図７に示すように、封緘片４を袋本体１の一片１ａ側から分断して除去し、
ファイル等の綴込媒体に綴じ込んで整理、保管等する袋として再利用することができる。
【００２６】
（実施形態３）
本実施形態では、図８に示すように、分断手段としてのミシン目８が、袋本体１の開口部２よりもわずか上側の位置に形成されているのみならず、袋本体１の他側縁側に形成されており、この点で、ミシン目８が開口部２よりも上側のみに形成されていた実施形態１と相違する。本実施形態においても袋本体１の両側縁部と底縁部との三方側縁部にシール部１２ａ、１２ｂ、１３が形成されているが、本実施形態では一方側縁部のシール部１２ａのみならず、他方側縁部のシール部１２ｂも、底縁部のシール部１３に比べて幅広に形成されている。そして、他方側縁部のシール部１２ｂの内側にミシン目８が形成されている。
【００２７】
袋本体１の上部に開口部２が形成されている点、開口部２より下側に収納部３が形成されている点、袋本体１を構成する一片１ａが他片１ｂより開口部２の上部に延長されて封緘片４が形成されている点、封緘片４の内面側に接着剤６を介して離型材７が設けられている点、袋本体１の一側縁側に複数の綴込用孔５が穿設されている点は、上記実施形態１と共通する。使用時において封緘片４から離型材７を剥離し、袋本体１の収納部３内に被収納物９を収納した後、接着剤６を介して封緘片４を袋本体１の他片１ｂ側に接着して、輸送用袋等として送信する等の点も上記実施形態１と共通する（図３参照）。
【００２８】
輸送用袋を受信した受信者は、実施形態１と同様に開口部２の上部のミシン目８の位置で封緘片４を袋本体１から分断し、さらに袋本体１の他側縁側のミシン目８の位置で、そのミシン目８の外側の所定幅のシール部１３を分断する。このように２箇所のミシン目８、８の位置で分断することにより、袋本体１の他側縁側にも開口部が形成され、袋本体１の上部と側部との２箇所に開口部がある，いわゆるクリアファイルのような形態の袋が得られることとなる。
【００２９】
従って、実施形態１と同様に袋本体１の一側縁部に設けられた綴込用孔５にファイル等の綴杆を挿入することで、上部と側部との２箇所に開口部があるクリアファイル形の包装用袋をファイル等の綴込媒体に綴じ込むことができ、整理、保管等用として好適な包装用袋を提供することができる。
【００３０】
（実施形態４）
本実施形態では、図９及び図１０に示すように、綴込用孔５が袋本体１の下部に設けられており、この点で、綴込用孔５が袋本体１の一側縁側に設けられている実施形態１乃至３の場合と相違する。すなわち、本実施形態では同図のように袋本体１の下部における一片１ａと他片１ｂ間に区画シール部１４が設けられており、その区画シール部１４の下部の袋本体１の一片１ａと他片１ｂ間に合成紙からなる補強片１７が封入され、その補強片１７と袋本体１の一片１ａ、他片１ｂとで、ファイル等の綴込媒体に綴じ込むための綴込部１８が形成されている。そして、綴込用孔５は、前記綴込部１８に２箇所穿設されている。
袋本体１の両側縁部は、上記実施形態１乃至３のように所定幅にシールされて形成されているのではなく、熱溶断シール、すなわち包装用袋の製造工程において、２枚の長尺状合成樹脂製フィルムを熱で溶解して断裁すると同時に断裁された部分をシールして形成されている。
【００３１】
袋本体１の上部に開口部２が形成されている点、袋本体１を構成する一片１ａが他片１ｂより開口部２の上部に延長されて封緘片４が形成されている点、封緘片４の内面側に接着剤６を介して離型材７が設けられている点は、上記実施形態１と共通する。使用時においては、本実施形態においても、図１１に示すように、封緘片４から離型材７を剥離し、接着剤６を介して封緘片４を袋本体１の他片１ｂ側に接着することで袋本体１を封緘し、また、二次使用としてファイル等の綴込媒体に綴じ込む整理、保管用の袋として使用する場合には、図１２に示すように、封緘片４を袋本体１から分断させる。
【００３２】
ただし、本実施形態では、袋本体１の下部に綴込用孔５が穿設された綴込部１８が形成されているので、二次使用として使用する場合、前記綴込部１８に穿設された綴込用孔５に、ファイル等の綴込媒体の綴杆を挿入すると、袋本体１の上部に形成された開口部２は、綴込媒体の綴杆の部分とは反対側の側部に位置することとなる。従って、一時使用としての輸送用袋として使用する際には上部に存在していた開口部が、二次使用として整理、保管等する袋として使用する場合には側部に存在し、その側部の開口部から被包装物が袋本体１内に出し入れされることとなる。
【００３３】
（実施形態５）
本実施形態では、図１３及び図１４に示すように、開口部２が袋本体１の下部に形成されており、その開口部２を開閉するための封緘片４が、該袋本体１の一片１ａを他片１ｂより開口部２の下部に延長して形成されている。これらの点で、開口部２が袋本体１の上部に形成されていた上記実施形態４と相違する。
【００３４】
また本実施形態では、同図のように綴込用孔５が袋本体１の上部に設けられており、区画シール部１４、補強片１７を封入した綴込部１８も袋本体１の上部に設けられており、この点で、これらが袋本体１の下部に設けられている実施形態４と相違する。
【００３５】
ただし、一時使用時の操作は実施形態４と同様であり、二次使用としてファイル等の綴込媒体に綴じ込む操作等も実施形態４と同様である。また袋本体１の両側縁部が熱溶断シールされている点も実施形態４と同様である。
【００３６】
（実施形態６）
本実施形態は、手提げ用の包装用袋であり、輸送用として使用される実施形態１乃至５と相違する。手提げ用の袋であるので、上記実施形態１乃至４のような封緘片４が設けられておらず、開口部２の端縁である袋本体１の一片１ａと他片１ｂの上端は、同じ高さに形成されている。
【００３７】
また、手提げ用の袋であるので、袋本体１の一片１ａと他片１ｂの上部には、図１５及び図１６に示すように、手を挿入するための、長孔１５、１５が穿設されている。このように、本実施形態の包装用袋は、用途の相違に起因して上記実施形態１乃至５の包装用袋とは基本的形態が相違している。本実施形態では、図１６のように袋本体１の一片１ａと他片１ｂにおける上記長孔１５、１５の下側にミシン目８が設けられている。袋本体１の三方側縁部にシール部１２ａ、１２ｂ、１３が形成されているとともに両側縁部のうちの一方側縁部のシール部１２ａが他方側縁部のシール部１２ｂ及び底縁部のシール部１３よりも幅広に形成され、該一方側縁部のシール部１２ａに複数の綴込用孔５が穿設されている点は実施形態１と共通する。
【００３８】
本実施形態の包装用袋は、たとえば展示会等において配布されるカタログ等を、持ち帰る際に、そのようなカタログ等とともに配布される持ち帰り用の袋として使用される。従って、そのカタログ等が図１６に示すように被収納物９として収納部３内に収納されることとなる。
【００３９】
このような持ち帰り用の袋として使用した後は、持ち帰った被収納物９を収納部３から取り出した後、図１７に示すようにミシン目８を介して長孔１５、１５が穿設された袋本体１の上部１６を分断させることができ、上記被収納物９とは別の被収納物１０を収納し、上記実施形態１等と同様にファイル等の綴込媒体に設けられた綴杆を、袋本体１の一側縁部に設けられた綴込用孔５に挿入することによって包装用袋がファイル等の綴込媒体に綴じ込まれることとなる。このようにして、被収納物１０が収納された包装用袋をファイル等の綴込媒体に綴じ込んで整理、保管用の袋として使用することができる。
【００４０】
本実施形態においても、持ち帰り用の袋として使用された後は、ファイル等の綴込媒体に綴じ込んで整理、保管用の袋として再利用することができるので、直ちに廃棄される可能性が少なくなり、環境保護にも寄与するという上記実施形態と同様の効果を有する。そして、
整理、保管用の綴込用袋として利用価値の少ない長孔１５、１５が穿設された袋本体１の上部１６は分断されるので、綴込用袋として好適に使用することができる。
【００４１】
（実施形態７）
本実施形態では、図１８及び図１９に示すように、袋本体１の上部１６を分断する手段として、上記実施形態５のミシン目８に代えて、カットテープ１１、１１が設けられている。そして、袋本体１の表面側には、図１８のように、カットテープ１１の開封起点１１ａが設けられている。従って、本実施形態においては、図２１に示すように、袋本体１の一片１ａ側に設けられた開封起点１１ａから、カットテープ１１によって袋本体１の上部１６を分断する。
【００４２】
開口部２の端縁である袋本体１の一片１ａと他片１ｂの上端が同じ高さに形成されている点、袋本体１の一片１ａと他片１ｂの上部に長孔１５、１５が穿設されている点は、実施形態５と共通する。このような持ち帰り用の袋としての一次使用後は、図２０に示すような持ち帰った被収納物９を収納部３から取り出した後、図２１に示すようにカットテープ１１を捲り取ることによって、長孔１５、１５が穿設された袋本体１の上部１６を分断させることができ、上記被収納物９とは別の被収納物１０を収納し、上記実施形態５と同様にファイル等の綴込媒体に綴じ込んで整理、保管用の袋として使用することができる。
【００４３】
（実施形態８）
本実施形態では、図２２に示すように、分断手段としてのミシン目８が、袋本体１の開口部２よりもわずか上側の位置に形成されているのみならず、袋本体１の他側縁側に形成されており、この点で、ミシン目８が開口部２よりも上側のみに形成されていた実施形態１と相違する。本実施形態では、袋本体１の一方側縁部のシール部１２ａのみならず、他方側縁部のシール部１２ｂも、底縁部のシール部１３に比べて幅広に形成され、その他方側縁部のシール部１２ｂの内側にミシン目８が形成されており、その点で上記実施形態３と共通する。
【００４４】
持ち帰り用の袋としての一次使用後には、開口部２の上部のミシン目８の位置で上部１６を袋本体１から分断し、さらに袋本体１の他側縁側のミシン目８の位置で、そのミシン目８の外側の所定幅のシール部１３を分断する。このように２箇所のミシン目８、８の位置で分断することにより、上記実施形態３と同様に袋本体１の他側縁側にも開口部が形成され、袋本体１の上部と側部との２箇所に開口部がある，いわゆるクリアファイルのような形態の袋が得られることとなる。
【００４５】
（実施形態９）
本実施形態の包装用袋は、上記実施形態４の包装用袋と近似する形態のものであり、ミシン目８が形成されている位置においてのみ相違する。すなわち、本実施形態では、図２３に示すように袋本体１の下部における一片１ａと他片１ｂ間に区画シール部１４が設けられ、その区画シール部１４の下部の袋本体１の一片１ａと他片１ｂ間に合成紙からなる補強片１７が封入され、その補強片１７と袋本体１の一片１ａ、他片１ｂとで綴込部１８が形成され、該綴込部１８の２箇所に綴込用孔５が穿設されている。これらの構成において上記実施形態４と共通する。袋本体１の両側縁部は熱溶断シールされており、この点でも実施形態４と共通する。
【００４６】
ただし、本実施形態においては袋本体１の一方側縁部側の縦方向にミシン目８が形成されており、袋本体１の上部にはミシン目は形成されていない。この点でかかるミシン目８が袋本体１の上部に形成されていた実施形態４と相違する。
【００４７】
一次使用時において、封緘片４から離型材７を剥離し、接着剤６を介して封緘片４を袋本体１の他片１ｂ側に接着することで袋本体１を封緘し、また、二次使用としてファイル等の綴込媒体に綴じ込む整理、保管用の袋として使用する操作等も実施形態４と同じである。
【００４８】
ただし本実施形態では、二次使用時においては、一方側縁部側の縦方向のミシン目８を分断して該一方側縁部側を開口させ、その状態で袋本体１の底部の綴込部１８に穿設された綴込用孔５にファイル等の綴込媒体の綴杆を挿入するので、開口した袋本体１の一方側縁部は、上記実施形態４とは異なり、上部に位置することとなる。従って、一時使用としての輸送用袋として使用する際に上部に存在していた開口部は、二次使用の際には使用せず、上記のようにミシン目８での分断により新たに開口させて上部に位置させた袋本体１の一方側縁部側の開口部を二次使用の際に使用することになる。
【００４９】
（実施形態１０）
本実施形態の包装用袋は、上記実施形態５の包装用袋と近似する形態のものであり、ミシン目８が形成されている位置においてのみ相違する。すなわち、本実施形態では、図２４に示すように、開口部２が袋本体１の下部に形成されており、その開口部２を開閉するための封緘片４が、該袋本体１の一片１ａを他片１ｂより開口部２の下部に延長して形成されている。これらの点で、上記実施形態５と共通する。また本実施形態では、同図のように綴込用孔５が袋本体１の上部に設けられており、区画シール部１４、補強片１７を封入した綴込部１８も袋本体１の上部に設けられており、この点でも上記実施形態５と同じである。
【００５０】
ただし本実施形態では、袋本体１の他方側縁部側の縦方向にミシン目８が形成されており、袋本体１の下部にはミシン目は形成されていない。この点でかかるミシン目８が袋本体１の下部に形成されていた実施形態５と相違する。
【００５１】
二次使用時においては、他方側縁部側の縦方向のミシン目８を分断して該他方側縁部側を開口させ、その状態で袋本体１の上部の綴込部１８に穿設された綴込用孔５にファイル等の綴込媒体の綴杆を挿入するので、開口した袋本体１の他方側縁部は、上記実施形態４とは異なり、上部に位置することとなる。従って、一時使用としての輸送用袋として使用する際に上部に存在していた開口部は、二次使用の際には使用せず、上記のようにミシン目８での分断により新たに開口させて上部に位置させた袋本体１の他方側縁部側の開口部を二次使用の際に使用することになる。
【００５２】
（実施形態１１）
本実施形態の包装用袋は、上記実施形態４の包装用袋と近似する形態のものであり、袋本体１の開口部２の直下にチャックを設けた点においてのみ相違する。すなわち、本実施形態では、図２５に示すように、袋本体１の開口部２の直下における袋本体１の一片１ａと他片１ｂとのそれぞれ内面側に、相互に嵌合可能なチャック５ａ、５ｂが設けられている。ミシン目８は、チャック５ａ、５ｂの上部の位置に形成されている。チャック５ａ、５ｂが設けられた点以外の構成は実施形態４と共通する。
【００５３】
一次使用時及び二次使用時の操作も上記実施形態４と同じであるが、本実施形態においては、同図のように、チャック５ａ、５ｂを嵌合することによって開口部２が閉じられることとなるので、二次使用時において開口部２が袋本体１の側部に位置するにもかかわらず、開口部２から被包装物が不用意に抜け出ることもないのである。
【００５４】
その他の構成と使用方法は上記実施形態４と同じであるため、その説明は省略する。
【００５５】
（実施形態１２）
本実施形態の包装用袋は、上記実施形態５の包装用袋と近似する形態のものであり、袋本体１の開口部２の下部にチャックを設けた点においてのみ相違する。すなわち、本実施形態では、図２６に示すように、袋本体１の開口部２の少し上側における袋本体１の一片１ａと他片１ｂとのそれぞれ内面側に、相互に嵌合可能なチャック５ａ、５ｂが設けられている。ミシン目８は、チャック５ａ、５ｂの下部の位置に形成されている。チャック５ａ、５ｂが設けられた点以外の構成は実施形態５と共通する。
【００５６】
チャック５ａ、５ｂを嵌合することによって開口部２が閉じられ、開口部２から被包装物が不用意に抜け出ることが防止される効果は実施形態１１と同じである。
【００５７】
その他の構成と使用方法は上記実施形態５と同じであるため、その説明は省略する。
【００５８】
（実施形態１３）
本実施形態の包装用袋は、上記実施形態６乃至８と同様に、一次使用時において手提げ用の袋として用いられるものであり、袋本体１の一片１ａと他片１ｂの上部に手を挿入するための長孔１５、１５が袋本体１の上部１６に穿設されている点で該実施形態６乃至８と共通する。
【００５９】
ただし、本実施形態では開口部２が袋本体１の下部に形成されており、その点で開口部２が袋本体１の上部に形成されていた実施形態６乃至８の場合と相違する。すなわち、本実施形態では、図２７及び図２８に示すように、袋本体１の下部に開口部２が形成されているとともに、該開口部２から袋本体１の一片１ａが他片１ｂより延長されて封緘片４が形成され、該封緘片４の内面側に接着剤６を介して離型材７が設けられている。この点で、封緘片４が設けられていない実施形態６乃至８の包装用袋と相違する。
【００６０】
また本実施形態では、長孔１５が穿設された袋本体１の上部１６の下側の位置における袋本体１の一片１ａと他片１ｂ間が溶着されて綴込部１８が形成されている。この点で、綴込部１８が袋本体１の側部に形成されていた実施形態６乃至８の場合と相違する。このような綴込部１８によって、本実施形態では袋本体１の上部１６と収納部３とは連通状態とされておらず、区画された状態となっている。綴込用孔５は、綴込部１８の２箇所に穿設されている。
【００６１】
本実施形態では、ミシン目８は綴込部１８の少し上側に形成されている。また本実施形態では、袋本体１の両側縁部は、上記実施形態６乃至８のように所定幅にシールされて形成されているのではなく、熱溶断シールして形成されている。
【００６２】
一時使用としての手提げ用の袋としての使用後は、ミシン目８の位置で袋本体１の上部１６を袋本体１の収納部３の部分から分断し、綴込部１８に穿設された綴込用孔５に、ファイル等の綴込媒体の綴杆を挿入することで、二次使用としての整理、保管等する袋として使用することができる。この場合、一時使用時には袋本体１の下部に存在していた開口部２が、二次使用時には側部に存在し、実施形態４と同様に側部の開口部から被包装物が袋本体１内に出し入れされることとなる。
【００６３】
（実施形態１４）
本実施形態の包装用袋も、上記実施形態６乃至８、及び実施形態１３と同様に、一次使用時において手提げ用の袋として用いられるものであり、袋本体１の一片１ａと他片１ｂの上部に手を挿入するための長孔１５、１５が袋本体１の上部１６に穿設されている。
【００６４】
袋本体１の上部の下側の一片１ａと他片１ｂ間が溶着されて綴込部１８が形成され、その綴込部１８によって、袋本体１の上部１６と収納部３とが区画された状態となっている点で上記実施形態１３と共通する。また袋本体１の両側縁部が熱溶断シールして形成されている点も実施形態１３と共通する。
【００６５】
ただし、本実施形態では開口部２が袋本体１の上部に形成されており、この点で開口部２が袋本体１の下部に形成されていた実施形態１３の場合と相違する。すなわち、本実施形態では、図２９及び図３０に示すように、袋本体１の上部に開口部２が形成され、該開口部２から、袋本体１を構成するフィルムからなる一片１ａが他片１ｂより上部に延長され、その開口部２の上部に延長された一片１ａを構成するフィルムが頂部１９で折り返されるとともに、折り返されたフィルムと前記上部に延長されたフィルムとが熱溶着されて
綴込部１８が形成され、この綴込部１８が、袋本体１の上部１６と袋本体１の収納部３の部分とを区画する区画シール部としても機能している。
【００６６】
また前記頂部１９で折り返されたフィルムは、前記綴込部１８から下部に延長され、その延長された部分が封緘片４として形成されている。封緘片４の内面側には接着剤６を介して離型材７が設けられている点は、上記実施形態１３と同様である。
【００６７】
（実施形態１５）
本実施形態の包装用袋は、上記実施形態１乃至５等と同様に輸送用の袋として使用されるものであるが、図３１に示すように、綴込用孔５が袋本体１の他方側縁部側に形成されており、その点で綴込用孔５が袋本体１の一方側縁部側に形成されていた実施形態１乃至３や、袋本体１の下部又は上部に形成されていた実施形態４、５と相違する。
【００６８】
より具体的には、本実施形態では、上記実施形態１等とは逆に、他方側縁部のシール部１２ｂが一方側縁部のシール部１２ａ及び底縁部のシール部１３よりも幅広に形成されて
おり、その他方側縁部のシール部１２ｂに複数の綴込用孔５が穿設されている。
【００６９】
また本実施形態では、図３１の正面側に位置する袋本体１の一片１ａ側には、文字等を筆記可能とする白色のマットインクが塗布され、袋本体１の他片１ｂ側には、このようなマットインクが塗布されておらず、透明な状態とされている。この包装用袋を、一次使用としての輸送用袋として使用する場合には、袋本体１の一片１ａ側に宛先、宛名等を筆記し、輸送すべき被包装物を収納して使用する。
【００７０】
そして、本実施形態の包装用袋を、一次使用としての輸送用袋として使用した後は、図３３に示すように、ミシン目８の位置で封緘片４を袋本体１から分断し、実施形態１等と同様に、ファイル等の綴込媒体に綴じ込んで整理、保管用の袋として、二次使用としての利用に供する。
【００７１】
この場合において、袋本体１の一片１ａ側には、白色のマットインクが塗布されているので、二次使用時である整理、保管用の袋として使用する場合には、袋本体１を反転させて、上記白色のマットインクが塗布された袋本体１の一片１ａを背面側に位置させ、透明な袋本体１の他片１ｂを正面側に位置させる。
【００７２】
このように袋本体１を反転させることによって、図３３に示すように、綴込用孔５が穿設された他方側縁部のシール部１２ｂが、一次使用時とは反対側（図３３における左側）に位置することとなり、ファイル等の綴込媒体への綴じ込み作業が容易に行えることとなる。また、透明な袋本体１の他片１ｂが正面側に位置しているので、整理、保管の対象となる被包装物を、袋本体１の他片１ｂを介して透視することができ、整理、保管用の袋として好適に使用することが可能となる。
【００７３】
（実施形態１６）
本実施形態の包装用袋も、上記実施形態１５の包装用袋と同様に、綴込用孔５が袋本体１の他方側縁部側に形成され、また図３４の正面側に位置する袋本体１の一片１ａ側には、文字等を筆記可能とする白色のマットインクが塗布され、袋本体１の他片１ｂ側には、このようなマットインクが塗布されておらず、透明な状態とされている。
【００７４】
ただし、本実施形態では、他方側縁部のシール部１２ｂが一方側縁部のシール部１２ａ及び底縁部のシール部１３と略同幅に形成され、綴込用孔５は実施形態１５のように他方側縁部のシール部１２ｂ上に穿設されているのではなく、その他方側縁部のシール部１２ｂの外側に延設された綴込部１８上に綴込用孔５が穿設されている。この綴込部１８においては、表裏の合成樹脂製フィルムがシールされているわけではないが、シール部１２ｂの外側に延設された表裏のフィルムに貫通して綴込部１８が穿設されているので、綴込用孔５を介してファイル等の綴込媒体への綴じ込む作業に支障を生じることもない。
【００７５】
一次使用時には、袋本体１の一片１ａ側に宛先、宛名等を筆記し、二次使用時にはミシン目８の位置で封緘片４を袋本体１から分断し、袋本体１を反転させて、透明な袋本体１の他片１ｂを正面側に位置させることで、ファイル等の綴込媒体に綴じ込んで整理、保管用の袋として好適に使用できる点は、実施形態１５と同様である。
【００７６】
（その他の実施形態）
尚、袋本体１の開口部２の位置は、上記実施形態１乃至４及び実施形態６乃至９、１１、１４乃至１６のように袋本体１の上部に形成されていてもよく、また実施形態５、１０、１２、１３のように袋本体１の下部に形成されていてもよく、その位置は問わない。
【００７７】
また、封緘片４や袋本体１の上部１６等の残余部を袋本体１から分断する分断手段も、上記実施形態１、３乃至６、８乃至１６のようなミシン目８による手段、実施形態２、７のようなカットテープ１１による手段、或いはカットテープ１１とミシン目８との双方による手段のいずれであってもよく、また、これら以外の分断手段を採用することも可能である。
【００７８】
尚、袋本体１から分断される「残余部」とは、袋本体１をファイル等の綴込媒体に綴じ込む際、すなわち袋本体１の二次使用時に必須の使用部分である綴込用孔５及び収納部３以外の部分であって、上記各実施形態で分断される封緘片４や袋本体１の上部１６等の部分をいう。ただし、実施形態３、８、９、１０、１３のように、袋本体１の一側縁部又は他側縁部側にミシン目８等の分断手段が形成され、その外側が分断されるような場合には、その分断される一側縁部又は他側縁部側の外側の部分が「残余部」となる。この場合の袋本体１の一側縁部又は他側縁部側の「残余部」は、一次使用時には袋本体１の収納部３の一部を構成していた部分でもあるが、二次使用時には、分断された部分以外の部分に袋本体１の収納部３が残存しているので、二次使用に不都合が生じることもない。
すなわち、「残余部」は、一次使用時に袋本体１の収納部３を構成する部分であってもよく、要は二次使用時に綴込用孔５及び収納部３が袋本体１に残存しうるように構成されていればよいのである。
【００７９】
さらに、袋本体１を構成する樹脂フィルムの材質も、上記ポリプロピレン、ポリエチレン等のような汎用性の合成樹脂製フィルムに限らず、これら以外の合成樹脂製フィルムを使用することも可能である。また合成樹脂製フィルムに限らず、天然樹脂製のフィルムを用いることも可能である。さらには、生分解性フィルムを使用することも可能であり、その場合には、ファイル等への綴込用袋として再利用した後にも、土中等において生分解させることができるので、環境保護により適した袋を提供しうるという効果がある。生分解性フィルムとしては、環境に与える影響が少ないことから上記のようなポリ乳酸を用いることが望ましいが、ポリ乳酸以外の生分解性フィルムを用いることも可能である。また、２以上の合成樹脂製フィルムをラミネートしたラミネートフィルムのようなものを用いることも可能である。さらには、たとえば紙のような樹脂以外の素材を樹脂に貼着して複合化させた複合化フィルムのようなものを用いることも可能である。
【００８０】
さらに、包装用袋の用途も、上記実施形態１乃至５のような輸送用袋、実施形態６乃至
８のような手提げ用の袋に限定されるものではなく、たとえば郵送用の封筒のようなものであってもよく、さらにはこれら以外の用途の包装用袋であってもよい。従って、包装用袋の形態も用途に応じて適宜変更することができ、上記実施形態１乃至５のように封緘片４を有する形態のもの、実施形態６乃至８のように手提げ用の長孔１５を有するもの等、種々の形態の包装用袋に本発明を適用することができる。
【００８１】
さらに、ファイル等への綴込用袋として再利用する場合の被収納物の種類も問うものではない。また郵送用や輸送用としての一次使用時に収納されていた郵便物やダイレクトメール等の被収納物を、そのまま保存するようなことも可能である。
【００８２】
その他、本発明の意図する範囲内で任意に設計変更可能である。
【図面の簡単な説明】
【００８３】
【図１】一実施形態としての包装用袋の正面図。
【図２】図１のＡ−Ａ線断面図。
【図３】封緘片を封緘して被収納物を収納部内に収納した状態の断面図。
【図４】封緘片を分断した状態の断面図。
【図５】他実施形態の包装用袋の正面図。
【図６】図５のＢ−Ｂ線断面図。
【図７】封緘片を分断した状態の断面図。
【図８】他実施形態の包装用袋の正面図。
【図９】他実施形態の包装用袋の正面図。
【図１０】図９のＣ−Ｃ線断面図。
【図１１】封緘片を封緘して被収納物を収納部内に収納した状態の断面図。
【図１２】封緘片を分断した状態の断面図。
【図１３】他実施形態の包装用袋の正面図。
【図１４】図１３のＤ−Ｄ線断面図。
【図１５】他実施形態の包装用袋の正面図。
【図１６】図１５のＥ−Ｅ線断面図。
【図１７】袋本体の上部を分断した状態の断面図。
【図１８】他実施形態の包装用袋の正面図。
【図１９】図１９のＦ−Ｆ線断面図。
【図２０】被包装物を収納した状態の断面図。
【図２１】袋本体の上部を分断した状態の断面図。
【図２２】他実施形態の包装用袋の正面図。
【図２３】他実施形態の包装用袋の正面図。
【図２４】他実施形態の包装用袋の正面図。
【図２５】他実施形態の包装用袋の断面図。
【図２６】他実施形態の包装用袋の断面図。
【図２７】他実施形態の包装用袋の正面図。
【図２８】図２７のＧ−Ｇ線断面図。
【図２９】他実施形態の包装用袋の正面図。
【図３０】図２９のＨ−Ｈ線断面図。
【図３１】他実施形態の包装用袋の正面図。
【図３２】図３１のＩ−Ｉ線断面図。
【図３３】封緘片を分断した状態の断面図。
【図３４】他実施形態の包装用袋の正面図。
【図３５】封緘片を分断した状態の断面図。
【符号の説明】
【００８４】
１  袋本体
３  収納部
５  綴込用孔
８  ミシン目
１１  カットテープ
【図１】
2009143593.tif 000003
【図２】
2009143593.tif 000004
【図３】
2009143593.tif 000005
【図４】
2009143593.tif 000006
【図５】
2009143593.tif 000007
【図６】
2009143593.tif 000008
【図７】
2009143593.tif 000009
【図８】
2009143593.tif 000010
【図９】
2009143593.tif 000011
【図１０】
2009143593.tif 000012
【図１１】
2009143593.tif 000013
【図１２】
2009143593.tif 000014
【図１３】
2009143593.tif 000015
【図１４】
2009143593.tif 000016
【図１５】
2009143593.tif 000017
【図１６】
2009143593.tif 000018
【図１７】
2009143593.tif 000019
【図１８】
2009143593.tif 000020
【図１９】
2009143593.tif 000021
【図２０】
2009143593.tif 000022
【図２１】
2009143593.tif 000023
【図２２】
2009143593.tif 000024
【図２３】
2009143593.tif 000025
【図２４】
2009143593.tif 000026
【図２５】
2009143593.tif 000027
【図２６】
2009143593.tif 000028
【図２７】
2009143593.tif 000029
【図２８】
2009143593.tif 000030
【図２９】
2009143593.tif 000031
【図３０】
2009143593.tif 000032
【図３１】
2009143593.tif 000033
【図３２】
2009143593.tif 000034
【図３３】
2009143593.tif 000035
【図３４】
2009143593.tif 000036
【図３５】
2009143593.tif 000037